(57)【要約】【課題】使用者に意識させることなく、複数のディスプレイ間で輝度やカラーバランスを容易に揃える。【解決手段】処理部は、スタイル検出部により筐体が閉じられたことが検出されると、各バックライトのＬＥＤ電流を最大にしてバックライト出力輝度を最大にし、それぞれの液晶ディスプレイ１、２における赤・緑・青の最大輝度をカラーフォトセンサ６、７で測定し、目標の輝度に合致するようにＬＥＤ電流を低減することで、液晶ディスプレイ１、２の最大輝度を補正する。処理部は、調整用画像として赤・緑・青をそれぞれの最大〜中間〜最小と変化させながらカラーフォトセンサ６、７で輝度を測定し、目標のガンマカーブに合うようにガンマ補正テーブルを作成する。【選択図】図１
2011242587.tif 000002
【特許請求の範囲】
【請求項１】
第１のディスプレイが配設された第１の筐体と第２のディスプレイが配設された第２の筐体とを回動可能にヒンジで接続した折畳型のディスプレイ装置であって、
前記第１のディスプレイと前記第２のディスプレイとを対向させて前記第１の筐体と前記第２の筐体とが折り畳まれた否かを検出するスタイル検出手段と、
前記第１のディスプレイと前記第２のディスプレイとを対向させて折り畳んだ状態で、前記第２のディスプレイの少なくとも一部に対向するよう配置され、前記第２のディスプレイの輝度とカラーバランスとのいずれか一方または双方を測定する第１の検出手段と、
前記第１のディスプレイと前記第２のディスプレイとを対向させて折り畳んだ状態で、前記第１のディスプレイの少なくとも一部に対向するよう配置され、前記第１のディスプレイの輝度とカラーバランスとのいずれか一方または双方をカラーバランスを測定する第２の検出手段と、
前記スタイル検出手段により前記第１の筐体と前記第２の筐体とが折り畳まれたことが検出されると、前記第２の検出手段により測定された前記第１のディスプレイの輝度とカラーバランスとのいずれか一方または双方と前記第１の検出手段により測定された前記第２のディスプレイの輝度とカラーバランスとのいずれか一方または双方とが合致するように、前記第１のディスプレイの最大輝度とカラーバランスとのいずれか一方または双方と前記第２のディスプレイの最大輝度とカラーバランスとのいずれか一方または双方とを補正する補正手段と
を備えることを特徴とするディスプレイ装置。
【請求項２】
前記補正手段は、
前記スタイル検出手段により前記第１の筐体と前記第２の筐体とが折り畳まれたことが検出されると、前記第１のディスプレイと前記第２のディスプレイとを最大輝度にした状態で、前記第２の検出手段により測定された前記第１のディスプレイの輝度が目標の輝度に合致するように前記第１のディスプレイの最大輝度を低減し、前記第１の検出手段により測定された前記第２のディスプレイの輝度が前記目標の輝度に合致するように前記第２のディスプレイの最大輝度を低減する
ことを特徴とする請求項１に記載のディスプレイ装置。
【請求項３】
前記補正手段は、
前記スタイル検出手段により前記第１の筐体と前記第２の筐体とが折り畳まれたことが検出されると、前記第１のディスプレイと前記第２のディスプレイとを最大輝度にした状態で、前記第２の検出手段により測定された前記第１のディスプレイの輝度と前記第１の検出手段により測定された前記第２のディスプレイの輝度とを比較し、より低輝度のディスプレイの輝度に合致するように、より高輝度のディスプレイの最大輝度を低減する
ことを特徴とする請求項１に記載のディスプレイ装置。
【請求項４】
前記補正手段によって、前記第１のディスプレイの輝度と前記第２のディスプレイの輝度とを補正した際に、輝度をより低減した側のディスプレイを使用ディスプレイに設定する使用ディスプレイ設定手段と、
前記スタイル検出手段により前記第１の筐体と前記第２の筐体とが展開されたことが検出されると、前記使用ディスプレイ設定手段により使用ディスプレイに設定されたディスプレイを表示に使用し、前記使用ディスプレイに設定されなかったディスプレイを非使用とする制御手段と
を更に備えることを特徴とする請求項１乃至３のいずれかに記載のディスプレイ装置。
【請求項５】
前記第１の検出手段により測定された前記第２のディスプレイのカラーバランスと前記第２の検出手段により測定された前記第１のディスプレイのカラーバランスとを、目標のカラーバランスに合致するように補正するカラーバランス補正手段を更に備えることを特徴とする請求項１乃至４のいずれかに記載のディスプレイ装置。
【請求項６】
第１のバックライトを有する第１のディスプレイが配設された第１の筐体と第２のバックライトを有する第２のディスプレイが配設された第２の筐体とを回動可能にヒンジで接続した折畳型のディスプレイ装置であって、
前記第１のディスプレイと前記第２のディスプレイとを対向させて前記第１の筐体と前記第２の筐体とが折り畳まれた否かを検出するスタイル検出手段と、
前記第１のディスプレイと前記第２のディスプレイとを対向させて前記第１の筐体と前記第２の筐体とを折り畳んだ状態で、前記第２のディスプレイの少なくとも一部に対向するよう配置され、前記第２のディスプレイの輝度を測定する第１の検出手段と、
前記第１のディスプレイと前記第２のディスプレイとを対向させて前記第１の筐体と前記第２の筐体とを折り畳んだ状態で、前記第１のディスプレイの少なくとも一部に対向するよう配置され、前記第１のディスプレイの輝度を測定する第２の検出手段と、
前記スタイル検出手段により前記第１の筐体と前記第２の筐体とが折り畳まれたことが検出されると、前記第２の検出手段により測定された前記第１のディスプレイの輝度と記第１の検出手段により測定された前記第２のディスプレイの輝度とが合致するように、前記第１のバックライトへの駆動電流と前記第２のバックライトへの駆動電流とを補正する補正手段と
を備えることを特徴とするディスプレイ装置。
【請求項７】
前記補正手段は、
前記スタイル検出手段により前記第１の筐体と前記第２の筐体とが折り畳まれたことが検出されると、前記第１のバックライトと前記第２のバックライトとを最大輝度にした状態で、前記第２の検出手段により測定された前記第１のディスプレイの輝度が目標の輝度に合致するように前記第１のバックライトへの駆動電流を低減し、前記第１の検出手段により測定された前記第２のディスプレイの輝度が前記目標の輝度に合致するように前記第２のディスプレイの駆動電流を低減する
ことを特徴とする請求項６に記載のディスプレイ装置。
【請求項８】
前記補正手段は、
前記スタイル検出手段により前記第１の筐体と前記第２の筐体とが折り畳まれたことが検出されると、前記第１のバックライトと前記第２のバックライトとを最大輝度にした状態で、前記第２の検出手段により測定された前記第１のディスプレイの輝度と前記第１の検出手段により測定された前記第２のディスプレイの輝度とを比較し、より低輝度のディスプレイの輝度に合致するように、より高輝度のディスプレイに対応するバックライトへの駆動電流を低減する
ことを特徴とする請求項６に記載のディスプレイ装置。
【請求項９】
前記補正手段によって、前記第１のバックライトの駆動電流と前記バックライトの駆動電流とを補正した際に、輝度をより低減するように駆動電流を補正した側のディスプレイを使用ディスプレイに設定する使用ディスプレイ設定手段と、
前記スタイル検出手段により前記第１の筐体と前記第２の筐体とが展開されたことが検出されると、前記使用ディスプレイ設定手段により使用ディスプレイに設定されたディスプレイと対応するバックライトとを表示に使用し、前記使用ディスプレイに設定されなかったディスプレイと対応するバックライトとを非使用とする制御手段と
を更に備えることを特徴とする請求項６乃至８のいずれかに記載のディスプレイ装置。
【請求項１０】
前記第１の検出手段により測定された前記第２のディスプレイの輝度から得られるカラーバランスと前記第２の検出手段により測定された前記第１のディスプレイの輝度から得られるカラーバランスとを、目標のカラーバランスに合致するように補正するカラーバランス補正手段を更に備えることを特徴とする請求項６乃至９のいずれかに記載のディスプレイ装置。
【請求項１１】
第１のディスプレイが配設された第１の筐体と第２のディスプレイが配設された第２の筐体とを回動可能にヒンジで接続した折畳型のディスプレイ装置のコンピュータに、
前記第１のディスプレイと前記第２のディスプレイとを対向させて前記第１の筐体と前記第２の筐体とが折り畳まれた否かを検出するスタイル検出手機能、
前記第１のディスプレイと前記第２のディスプレイとを対向させて折り畳んだ状態で、前記第２のディスプレイの少なくとも一部に対向するよう配置され、前記第２のディスプレイの輝度とカラーバランスとのいずれか一方または双方を測定する第１の検出機能、
前記第１のディスプレイと前記第２のディスプレイとを対向させて折り畳んだ状態で、前記第１のディスプレイの少なくとも一部に対向するよう配置され、前記第１のディスプレイの輝度とカラーバランスとのいずれか一方または双方を測定する第２の検出機能、
前記スタイル検出手段により前記第１の筐体と前記第２の筐体とが折り畳まれたことが検出されると、前記第２の検出手段により測定された前記第１のディスプレイの輝度とカラーバランスとのいずれか一方または双方と前記第１の検出手段により測定された前記第２のディスプレイの輝度とカラーバランスとのいずれか一方または双方とが合致するように、前記第１のディスプレイの最大輝度とカラーバランスとのいずれか一方または双方と前記第２のディスプレイの最大輝度とカラーバランスとのいずれか一方または双方とを補正する補正機能
を実行させることを特徴とするプログラム。
【請求項１２】
第１のバックライトを有する第１のディスプレイが配設された第１の筐体と第２のバックライトを有する第２のディスプレイが配設された第２の筐体とを回動可能にヒンジで接続した折畳型のディスプレイ装置のコンピュータに、
前記第１のディスプレイと前記第２のディスプレイとを対向させて前記第１の筐体と前記第２の筐体とが折り畳まれた否かを検出するスタイル検出機能、
前記第１のディスプレイと前記第２のディスプレイとを対向させて前記第１の筐体と前記第２の筐体とを折り畳んだ状態で、前記第２のディスプレイの少なくとも一部に対向するよう配置され、前記第２のディスプレイの輝度を測定する第１の検出機能、
前記第１のディスプレイと前記第２のディスプレイとを対向させて前記第１の筐体と前記第２の筐体とを折り畳んだ状態で、前記第１のディスプレイの少なくとも一部に対向するよう配置され、前記第１のディスプレイの輝度を測定する第２の検出機能、
前記スタイル検出手段により前記第１の筐体と前記第２の筐体とが折り畳まれたことが検出されると、前記第２の検出手段により測定された前記第１のディスプレイの輝度と記第１の検出手段により測定された前記第２のディスプレイの輝度とが合致するように、前記第１のバックライトへの駆動電流と前記第２のバックライトへの駆動電流とを補正する補正機能
を実行させることを特徴とするプログラム。
【発明の詳細な説明】
【技術分野】
【０００１】
本発明は、複数のディスプレイを備える折畳型のディスプレイ装置、及びプログラムに関する。
【背景技術】
【０００２】
従来より、ディスプレイを備えるディスプレイ装置においては、経年変化によりディスプレイの輝度やカラーバランスが劣化してしまうため、ディスプレイの輝度やカラーバランスを測定して補正する技術が知られている。
【０００３】
例えば、ディスプレイとキーボードを備えた折畳型のディスプレイ装置において、ディスプレイ側の表示パネルを閉じた状態で、電源スイッチを入れると、キーボード側に配備された輝度センサによりディスプレイの透過量を測定し、ディスプレイのコントラストが最大になるように自動調整する技術が知られている（例えば、特許文献１参照）。
【０００４】
また、折り曲げ可能な表示装置においては、テストパターンを表示させ、それをカメラで撮影して色度や輝度を測定し、測定された値に基づいて、バックライトを含めた表示の補正を行う技術が知られている（例えば、特許文献２参照）。
【０００５】
ところで、近年、携帯性を損なうことなく、大量の情報を表示するため、複数のディスプレイを備える折畳型のマルチディスプレイ装置が知られている（例えば、特許文献３参照）。該マルチディスプレイ装置は、角度調整機構により回動可能に取り付けられた第１のディスプレイ装置と第２のディスプレイ装置とを備え、それぞれに独立の画像を表示させることが可能になっている。
【先行技術文献】
【特許文献】
【０００６】
【特許文献１】特開平０７−３３３５８１号公報
【特許文献２】特開２００１−３５０４２８号公報
【特許文献３】特開２００５−０３７７４７号公報
【発明の概要】
【発明が解決しようとする課題】
【０００７】
上述した複数のディスプレイを備える折畳型のマルチディスプレイ装置では、特に、複数のディスプレイで使用頻度が異なる場合には、経年変化によりディスプレイの輝度やカラーバランスがディスプレイ間で異なってしまったり、異なる特性のディスプレイを用いた場合や、ディスプレイを交換した場合などには、ディスプレイの輝度やカラーバランスがディスプレイ間で異なるという問題があった。このように、ディスプレイ間で輝度やカラーバランスが異なると、使用者に不快感を与えるという問題がある。
【０００８】
しかしながら、上述した特許文献１、２による従来技術では、単一のディスプレイのコントラストや、色度、輝度を補正することは考慮されているものの、複数のディスプレイ間で輝度やカラーバランスを調整するものはなかった。
【０００９】
特に、特許文献２による従来技術では、表示装置にテストパターンを表示させ、それをカメラで撮影して色度や輝度を測定する必要があり、補正のための準備や測定に手間がかかるとともに、使用者に目障りな調整用の画面を見せるなど、調整中であることを意識させてしまうという問題があった。
【００１０】
そこで本発明は、使用者に意識させることなく、複数のディスプレイ間で輝度やカラーバランスを容易に揃えることができるディスプレイ装置、及びプログラムを提供することを目的とする。
【課題を解決するための手段】
【００１１】
上記目的達成のため、請求項１記載の発明は、第１のディスプレイが配設された第１の筐体と第２のディスプレイが配設された第２の筐体とを回動可能にヒンジで接続した折畳型のディスプレイ装置であって、前記第１のディスプレイと前記第２のディスプレイとを対向させて前記第１の筐体と前記第２の筐体とが折り畳まれた否かを検出するスタイル検出手段と、前記第１のディスプレイと前記第２のディスプレイとを対向させて折り畳んだ状態で、前記第２のディスプレイの少なくとも一部に対向するよう配置され、前記第２のディスプレイの輝度とカラーバランスとのいずれか一方または双方を測定する第１の検出手段と、前記第１のディスプレイと前記第２のディスプレイとを対向させて折り畳んだ状態で、前記第１のディスプレイの少なくとも一部に対向するよう配置され、前記第１のディスプレイの輝度ととカラーバランスとのいずれか一方または双方を測定する第２の検出手段と、前記スタイル検出手段により前記第１の筐体と前記第２の筐体とが折り畳まれたことが検出されると、前記第２の検出手段により測定された前記第１のディスプレイの輝度とカラーバランスとのいずれか一方または双方と前記第１の検出手段により測定された前記第２のディスプレイの輝度とカラーバランスとのいずれか一方または双方とが合致するように、前記第１のディスプレイの最大輝度とカラーバランスとのいずれか一方または双方と前記第２のディスプレイの最大輝度とカラーバランスとのいずれか一方または双方とを補正する補正手段とを備えることを特徴とするディスプレイ装置である。
【００１２】
また、好ましい態様として、例えば請求項２記載のように、請求項１に記載のディスプレイ装置において、前記補正手段は、前記スタイル検出手段により前記第１の筐体と前記第２の筐体とが折り畳まれたことが検出されると、前記第１のディスプレイと前記第２のディスプレイとを最大輝度にした状態で、前記第２の検出手段により測定された前記第１のディスプレイの輝度が目標の輝度に合致するように前記第１のディスプレイの最大輝度を低減し、前記第１の検出手段により測定された前記第２のディスプレイの輝度が前記目標の輝度に合致するように前記第２のディスプレイの最大輝度を低減するようにしてもよい。
【００１３】
また、好ましい態様として、例えば請求項３記載のように、請求項１に記載のディスプレイ装置において、前記補正手段は、前記スタイル検出手段により前記第１の筐体と前記第２の筐体とが折り畳まれたことが検出されると、前記第１のディスプレイと前記第２のディスプレイとを最大輝度にした状態で、前記第２の検出手段により測定された前記第１のディスプレイの輝度と前記第１の検出手段により測定された前記第２のディスプレイの輝度とを比較し、より低輝度のディスプレイの輝度に合致するように、より高輝度のディスプレイの最大輝度を低減するようにしてもよい。
【００１４】
また、好ましい態様として、例えば請求項４記載のように、請求項１乃至３のいずれかに記載のディスプレイ装置において、前記補正手段によって、前記第１のディスプレイの輝度と前記第２のディスプレイの輝度とを補正した際に、輝度をより低減した側のディスプレイを使用ディスプレイに設定する使用ディスプレイ設定手段と、前記スタイル検出手段により前記第１の筐体と前記第２の筐体とが展開されたことが検出されると、前記使用ディスプレイ設定手段により使用ディスプレイに設定されたディスプレイを表示に使用し、前記使用ディスプレイに設定されなかったディスプレイを非使用とする制御手段とを更に備えるようにしてもよい。
【００１５】
また、好ましい態様として、例えば請求項５記載のように、請求項１乃至４のいずれかに記載のディスプレイ装置において、前記第１の検出手段により測定された前記第２のディスプレイのカラーバランスと前記第２の検出手段により測定された前記第１のディスプレイのカラーバランスとを、目標のカラーバランスに合致するように補正するカラーバランス補正手段を更に備えるようにしてもよい。
【００１６】
また、上記目的達成のため、請求項６記載の発明は、第１のバックライトを有する第１のディスプレイが配設された第１の筐体と第２のバックライトを有する第２のディスプレイが配設された第２の筐体とを回動可能にヒンジで接続した折畳型のディスプレイ装置であって、前記第１のディスプレイと前記第２のディスプレイとを対向させて前記第１の筐体と前記第２の筐体とが折り畳まれた否かを検出するスタイル検出手段と、前記第１のディスプレイと前記第２のディスプレイとを対向させて前記第１の筐体と前記第２の筐体とを折り畳んだ状態で、前記第２のディスプレイの少なくとも一部に対向するよう配置され、前記第２のディスプレイの輝度を測定する第１の検出手段と、前記第１のディスプレイと前記第２のディスプレイとを対向させて前記第１の筐体と前記第２の筐体とを折り畳んだ状態で、前記第１のディスプレイの少なくとも一部に対向するよう配置され、前記第１のディスプレイの輝度を測定する第２の検出手段と、前記スタイル検出手段により前記第１の筐体と前記第２の筐体とが折り畳まれたことが検出されると、前記第２の検出手段により測定された前記第１のディスプレイの輝度と記第１の検出手段により測定された前記第２のディスプレイの輝度とが合致するように、前記第１のバックライトへの駆動電流と前記第２のバックライトへの駆動電流とを補正する補正手段とを備えることを特徴とするディスプレイ装置である。
【００１７】
また、好ましい態様として、例えば請求項７記載のように、請求項６に記載のディスプレイ装置において、前記補正手段は、前記スタイル検出手段により前記第１の筐体と前記第２の筐体とが折り畳まれたことが検出されると、前記第１のバックライトと前記第２のバックライトとを最大輝度にした状態で、前記第２の検出手段により測定された前記第１のディスプレイの輝度が目標の輝度に合致するように前記第１のバックライトへの駆動電流を低減し、前記第１の検出手段により測定された前記第２のディスプレイの輝度が前記目標の輝度に合致するように前記第２のディスプレイの駆動電流を低減するようにしてもよい。
【００１８】
また、好ましい態様として、例えば請求項８記載のように、請求項６に記載のディスプレイ装置において、前記補正手段は、前記スタイル検出手段により前記第１の筐体と前記第２の筐体とが折り畳まれたことが検出されると、前記第１のバックライトと前記第２のバックライトとを最大輝度にした状態で、前記第２の検出手段により測定された前記第１のディスプレイの輝度と前記第１の検出手段により測定された前記第２のディスプレイの輝度とを比較し、より低輝度のディスプレイの輝度に合致するように、より高輝度のディスプレイに対応するバックライトへの駆動電流を低減するようにしてもよい。
【００１９】
また、好ましい態様として、例えば請求項９記載のように、請求項６乃至８のいずれかに記載のディスプレイ装置において、前記補正手段によって、前記第１のバックライトの駆動電流と前記バックライトの駆動電流とを補正した際に、輝度をより低減するように駆動電流を補正した側のディスプレイを使用ディスプレイに設定する使用ディスプレイ設定手段と、前記スタイル検出手段により前記第１の筐体と前記第２の筐体とが展開されたことが検出されると、前記使用ディスプレイ設定手段により使用ディスプレイに設定されたディスプレイと対応するバックライトとを表示に使用し、前記使用ディスプレイに設定されなかったディスプレイと対応するバックライトとを非使用とする制御手段とを更に備えるようにしてもよい。
【００２０】
また、好ましい態様として、例えば請求項１０記載のように、請求項６乃至９のいずれかに記載のディスプレイ装置において、前記第１の検出手段により測定された前記第２のディスプレイの輝度から得られるカラーバランスと前記第２の検出手段により測定された前記第１のディスプレイの輝度から得られるカラーバランスとを、目標のカラーバランスに合致するように補正するカラーバランス補正手段を更に備えるようにしてもよい。
【００２１】
また、上記目的達成のため、請求項１１記載の発明は、第１のディスプレイが配設された第１の筐体と第２のディスプレイが配設された第２の筐体とを回動可能にヒンジで接続した折畳型のディスプレイ装置のコンピュータに、前記第１のディスプレイと前記第２のディスプレイとを対向させて前記第１の筐体と前記第２の筐体とが折り畳まれた否かを検出するスタイル検出手機能、前記第１のディスプレイと前記第２のディスプレイとを対向させて折り畳んだ状態で、前記第２のディスプレイの少なくとも一部に対向するよう配置され、前記第２のディスプレイの輝度とカラーバランスとのいずれか一方または双方を測定する第１の検出機能、前記第１のディスプレイと前記第２のディスプレイとを対向させて折り畳んだ状態で、前記第１のディスプレイの少なくとも一部に対向するよう配置され、前記第１のディスプレイの輝度とカラーバランスとのいずれか一方または双方を測定する第２の検出機能、前記スタイル検出手段により前記第１の筐体と前記第２の筐体とが折り畳まれたことが検出されると、前記第２の検出手段により測定された前記第１のディスプレイの輝度或いはカラーバランスと前記第１の検出手段により測定された前記第２のディスプレイの輝度とカラーバランスとのいずれか一方または双方とが合致するように、前記第１のディスプレイの最大輝度とカラーバランスとのいずれか一方または双方と前記第２のディスプレイの最大輝度とカラーバランスとのいずれか一方または双方とを補正する補正機能を実行させることを特徴とするプログラムである。
【００２２】
また、上記目的達成のため、請求項１２記載の発明は、第１のバックライトを有する第１のディスプレイが配設された第１の筐体と第２のバックライトを有する第２のディスプレイが配設された第２の筐体とを回動可能にヒンジで接続した折畳型のディスプレイ装置のコンピュータに、前記第１のディスプレイと前記第２のディスプレイとを対向させて前記第１の筐体と前記第２の筐体とが折り畳まれた否かを検出するスタイル検出機能、前記第１のディスプレイと前記第２のディスプレイとを対向させて前記第１の筐体と前記第２の筐体とを折り畳んだ状態で、前記第２のディスプレイの少なくとも一部に対向するよう配置され、前記第２のディスプレイの輝度を測定する第１の検出機能、前記第１のディスプレイと前記第２のディスプレイとを対向させて前記第１の筐体と前記第２の筐体とを折り畳んだ状態で、前記第１のディスプレイの少なくとも一部に対向するよう配置され、前記第１のディスプレイの輝度を測定する第２の検出機能、前記スタイル検出手段により前記第１の筐体と前記第２の筐体とが折り畳まれたことが検出されると、前記第２の検出手段により測定された前記第１のディスプレイの輝度と記第１の検出手段により測定された前記第２のディスプレイの輝度とが合致するように、前記第１のバックライトへの駆動電流と前記第２のバックライトへの駆動電流とを補正する補正機能を実行させることを特徴とするプログラムである。
【発明の効果】
【００２３】
この発明によれば、使用者に意識させることなく、複数のディスプレイ間で輝度やカラーバランスを容易に揃えることができるという利点が得られる。
【図面の簡単な説明】
【００２４】
【図１】本発明の第１実施形態によるディスプレイ装置の外観及び使用状態を示す模式図である。
【図２】本第１実施形態によるディスプレイ装置の構成を示すブロック図である。
【図３】本第１実施形態によるディスプレイ装置の動作を説明するためのフローチャートである。
【図４】本第１実施形態によるディスプレイ装置の動作を説明するための概念図である。
【図５】本第２実施形態によるディスプレイ装置の動作を説明するためのフローチャートである。
【図６】本発明のディスプレイ装置の他の構成例を示す模式図である。
【発明を実施するための形態】
【００２５】
以下、本発明の実施の形態を、図面を参照して説明する。
【００２６】
Ａ．第１実施形態
Ａ−１．第１実施形態の構成
図１（ａ）〜（ｄ）は、本発明の第１実施形態によるディスプレイ装置の外観及び使用状態を示す模式図である。図において、ディスプレイ装置は、２つの液晶ディスプレイ１、２を備え、液晶ディスプレイ１、２は、ヒンジ３を介した第１の筐体４と第２の筐体５とにそれぞれ配置されている。ヒンジ３は、３６０°回転できるようになっており、図１（ａ）に示すように、液晶ディスプレイ１、２が内側になるように、ヒンジ３を０°に折り畳む「閉じた」状態が非使用時である。そして、使用時には、図１（ｂ）に示すように、「閉じた」状態から、ヒンジ３を１８０°に「開いた」状態にして、両方の液晶ディスプレイ１、２を同時に使用したり、図１（ｃ）に示すように、液晶ディスプレイ１が外側になるように、ヒンジ３を３６０°にさらに「開いた」状態として、一方の液晶ディスプレイ１だけを使用したりすることができるようになっている。
【００２７】
また、液晶ディスプレイ１、２の横には、ヒンジ３を０°に折り畳む「閉じた」状態で、対向する液晶ディスプレイ１、２の一部に対向する位置にカラーフォトセンサ６、７が配設されている。つまり、図１（ｄ）に示すように、ディスプレイ装置のヒンジ３が０°の「閉じた」状態において、液晶ディスプレイ１と液晶ディスプレイ２とは、横方向にずれた状態で対向する。第１の筐体４側のカラーフォトセンサ６は、液晶ディスプレイ２のずれた部分に対向し、第２の筐体５側のカラーフォトセンサ７は、液晶ディスプレイ１のずれた部分に対向するようになっている。言い換えると、液晶ディスプレイ１と液晶ディスプレイ２とは、それぞれの筐体４、５の中心から横方向に若干ずれて配設されている。なお、ディスプレイ装置を「閉じた」状態においては、液晶ディスプレイ１、２からの光が外部へ漏れず、カラーフォトセンサ６、７に外部からの光が入射しないような構造を採用する。
【００２８】
図２は、本第１実施形態によるディスプレイ装置の構成を示すブロック図である。図において、第１の筐体４には、液晶ディスプレイ１、バックライト８、ディスプレイ制御部９、メモリ１０、スタイル検出部１１、処理部１２、カラーフォトセンサ６を備えている。また、第２の筐体５には、液晶ディスプレイ２、バックライト１３、ディスプレイ制御部１４、メモリ１５、カラーフォトセンサ７を備えている。
【００２９】
液晶ディスプレイ１、２は、各々、同一方式、あるいは異なる方式のディスプレイである。バックライト８、１３は、各々、対応する液晶ディスプレイ１、２の裏側に配置されており、光源として、点灯用の回路も含めて簡易で小型にできるよう、白色ＬＥＤを用いている。ディスプレイ制御部９、１４は、処理部１２からの制御に従って、液晶ディスプレイ１、２、バックライト８、１３を駆動する。
【００３０】
ディスプレイ制御部９、１４は、各々、メモリ１０、１５に格納されているガンマ補正テーブルの内容に従って、ガンマ補正を行い、液晶ディスプレイ１、２への表示制御を行う。また、ディスプレイ制御部９、１４は、各々、バックライト８、１３の輝度も制御しており、処理部１２からバックライト輝度が指定されると、メモリ１０、１５に格納されているバックライト輝度−ＬＥＤ電流テーブルに従い、バックライト８、１３へ供給するＬＥＤ電流を調整する。
【００３１】
メモリ１０、１５は、各々、上述したように、液晶ディスプレイ１、２の表示に対してガンマ補正を行うためのガンマ補正テーブル、及びバックライト８、１３の輝度を制御するためのバックライト輝度−ＬＥＤ電流テーブルを記憶している。
【００３２】
スタイル検出部１１は、ヒンジ３が０°以外の「開いた」状態、あるいはヒンジ３が０°の「閉じた」状態を検出する。カラーフォトセンサ６、７は、各々、ヒンジ３が０°以外の「開いた」状態からヒンジ３が０°の「閉じた」とき、すなわち、液晶ディスプレイ１、２が対面する状態になると、対向する液晶ディスプレイ１、２の赤・緑・青の輝度を測定する。すなわち、ヒンジ３が０°の「閉じた」状態になったとき、カラーフォトセンサ６は、第２の筐体５側に配置されている液晶ディスプレイ２の赤・緑・青の輝度を測定し、カラーフォトセンサ７は、第１の筐体４側に配置されている液晶ディスプレイ１の赤・緑・青の輝度を測定する。このとき、バックライト８、１３は点灯され、液晶ディスプレイ１、２の透過率は最大となっている。
【００３３】
処理部１２は、ヒンジ３が０°以外の「開いた」状態においては、液晶ディスプレイ１、２に表示すべきデータを、それぞれのディスプレイ制御部９、１４に供給する。このとき、ディスプレイ制御部９、１４は、各々、メモリ１０、１５に格納されているバックライト輝度−ＬＥＤ電流テーブルに従って、バックライト８、１３にＬＥＤ電流を供給するとともに、メモリ１０、１５に格納されているガンマ補正テーブルの内容に従って、ガンマ補正を行い、ガンマ補正を行った表示データを液晶ディスプレイ１、２に送信する。
【００３４】
また、処理部１２は、ヒンジ３が０°の「閉じた」状態になったとき、バックライト８、１３を点灯し、かつ液晶ディスプレイ１、２の透過率を最大とした補正用画像を、それぞれのディスプレイ制御部９、１４に供給し、ディスプレイ制御部９、１４により液晶ディスプレイ１、２に表示される補正用画像に基づいてカラーフォトセンサ６、７で測定される液晶ディスプレイ１、２の赤・緑・青の輝度に従って、２つのバックライト８、１３の輝度（ＬＥＤ電流）を調整して上記バックライト輝度−ＬＥＤ電流テーブルを作成する。また、処理部１２は、上記バックライト輝度−ＬＥＤ電流テーブルの作成後、液晶ディスプレイ１、２の赤・緑・青をそれぞれの最大〜中間〜最小（２５５〜０）と変化させる調整用画像を、それぞれのディスプレイ制御部９、１４に供給し、ディスプレイ制御部９、１４により液晶ディスプレイ１、２に表示される補正用画像に基づいてカラーフォトセンサ６、７で測定される液晶ディスプレイ１、２の赤・緑・青の輝度に従って、ガンマ補正を行うためのガンマ補正テーブルを作成する。
【００３５】
バックライト８、１３に用いる白色ＬＥＤは、経年変化が大きく、使用時間とともに、輝度／カラーバランスが変化してしまう。どちらか一方の液晶ディスプレイだけを使用する頻度が多いと、２つの液晶ディスプレイ１、２の使用時間の違いが大きくなり、結果として、２つの液晶ディスプレイ１、２間の輝度の違いやカラーバランスの違いも大きくなる。
【００３６】
そこで、本第１実施形態では、液晶ディスプレイ１、２を備えるディスプレイ装置において、筐体を折り畳んだときに、各々の液晶ディスプレイ１、２と対向するようにカラーフォトセンサ６、７を配置しておき、折り畳まれた際に、液晶ディスプレイ１、２毎に補正用画像を表示し、対向するカラーフォトセンサ６、７で赤・緑・青の輝度を測定し、液晶ディスプレイ１、２間の輝度、カラーバランスを揃えるように、互いのメモリ１０、１５に記憶されているバックライト輝度−ＬＥＤ電流テーブルとガンマ補正のテーブルとを更新する。
【００３７】
このように、折り畳まれた際に補正を行うことで、使用者に補正用画像を見せることなく、常時、気づかれることなく、液晶ディスプレイ１、２の輝度、カラーバランスを揃えることができる。また、液晶ディスプレイ１、２に跨って１つの連続した表示データを表示する場合にも、ほぼ同一の輝度、カラーバランスで表示することができる。さらに、バックライト８、１３の輝度だけでなく、液晶ディスプレイ１、２のパネル透過率、カラーフィルタ等の特性も合わせて補正するため、異なる方式のディスプレイであっても補正可能としている。
【００３８】
なお、上述した本発明の構成では、バックライト８、１３を必要とする液晶ディスプレイ１、２を用いたが、これに限らず、例えば、有機ＥＬディスプレイのように、ディスプレイ自体が発光するディスプレイであってもよい。この場合、バックライトの駆動電流を補正するのではなく、ディスプレイ自体の輝度を制御するための制御信号を補正すればよい。
【００３９】
Ａ−２．第１実施形態の動作
次に、上述した第１実施形態の動作について説明する。
図３は、本第１実施形態によるディスプレイ装置の動作を説明するためのフローチャートである。まず、スタイル検出部１１は、ヒンジ３の状態（角度）からディスプレイ装置のスタイルを検出し（ステップＳ１０）、処理部１２は、スタイル検出部１１による検出結果に基づいて、ヒンジ３が０°以外の「開いた」状態から０°の「閉じた」状態になったか否か、すなわち、筐体が折り畳まれたか否かを判断する（ステップＳ１２）。
【００４０】
そして、筐体が折り畳まれていない場合には（ステップＳ１２でＮＯ）、スタイル検出部１１による検出結果に基づいて、ヒンジ３が０°の「閉じた」状態であるか否か、すなわち折り畳まれた状態であるか否かを判断する（ステップＳ１４）。ここで、ヒンジ３が０°の「閉じた」状態でない場合、すなわち筐体が展開された場合には（ステップＳ１４でＮＯ）、ディスプレイ制御部９、１４は、各々、メモリ１０、１５に格納されているバックライト輝度−ＬＥＤ電流テーブルの内容に従って、バックライト８にＬＥＤ電流を供給して点灯し（ステップＳ１６）、ガンマ補正テーブルの内容に従ってガンマ補正を行い（ステップＳ１８）、表示データを液晶ディスプレイ１、２に表示する（ステップＳ２０）。以降、筐体が「開いた」状態においては、上述したステップＳ１０〜Ｓ２０を繰り返し実行する。
【００４１】
一方、ヒンジ３が０°以外の「開いた」状態から０°の「閉じた」状態になった場合、すなわち、筐体が折り畳まれた場合には（ステップＳ１２のＹＥＳ）、ディスプレイ制御部９、１４によるガンマ補正を停止し、処理部１２は、各バックライト８、１３のＬＥＤ電流を最大にしてバックライト出力輝度を最大にし（ステップＳ２２）、それぞれの液晶ディスプレイ１、２における赤・緑・青の最大輝度をカラーフォトセンサ６、７で測定する（ステップＳ２４）。そして、測定結果のうち、目標のカラーバランスと比較して最も輝度の低い（最も目標値に近い）色が目標のカラーバランスの対応する色に合致するように、ＬＥＤ電流を低減することで液晶ディスプレイ１、２の最大輝度を補正する（ステップＳ２６）。
【００４２】
例えば、液晶ディスプレイ１側においては、赤（Ｒ）、緑（Ｇ）、青（Ｂ）、それぞれの測定値のうち、図４（ａ）の左側に示すように、緑（Ｇ）の輝度が他の色（赤：Ｒ、青：Ｂ）に比べて低い（最も目標値に近い）ので、図４（ｂ）の左側に示すように、最も輝度の低い緑（Ｇ）が目標の輝度に合致するように、ＬＥＤ電流を低減してバックライト８の輝度を補正する。
【００４３】
同様に、液晶ディスプレイ２側においては、赤（Ｒ）、緑（Ｇ）、青（Ｂ）、それぞれの測定値のうち、図４（ａ）の右側に示すように、青（Ｂ）の輝度が他の色（赤：Ｒ、緑：Ｇ）に比べて低い（最も目標の輝度に近い）ので、図４（ｂ）の右側に示すように、最も輝度の低い青（Ｂ）が目標の輝度に合致するように、ＬＥＤ電流を低減してバックライト１３の輝度を補正する。
【００４４】
なお、目標のカラーバランスにおける各色の最大輝度は、カラーフォトセンサ６、７で測定した液晶ディスプレイ１、２の各色の輝度より、常時、低くなければならないため、使用時間の経過に応じて徐々に低くなるように変更することが好ましい。
【００４５】
そして、ディスプレイ制御部９、１４は、ステップＳ２４で補正したそれぞれのＬＥＤ電流を、バックライト輝度−電流テーブルとして、それぞれのメモリ１０、１５に保存する（ステップＳ２８）。
【００４６】
バックライト８、１３のＬＥＤ電流を調整しただけでは、液晶ディスプレイ１、２のカラーバランスは補正できないので、次に、調整用画像として赤・緑・青をそれぞれの最大〜中間〜最小（２５５〜０）と変化させながらカラーフォトセンサ６、７で輝度を測定し、目標のガンマカーブに合うように（カラーバランスを保持しながら）、ガンマ補正テーブルを作成する（ステップＳ３０）。調整用画像は、処理部１２で扱っている色空間に従うが、典型的な例として、ＲＧＢ２４ビット色空間の場合、赤（Ｒ，０，０）、緑（０，Ｇ，０）、青（０，０，Ｂ）となる。
【００４７】
例えば、液晶ディスプレイ１の場合には、図４（ｃ）の左側に示すように、ＬＥＤ輝度補正後のＬＣＤ特性を、最も輝度の低い色（図示の例では、緑（Ｇ））のＬＣＤ特性を基準に目標のガンマカーブに補正することで、目標のカラーバランスが保持された、液晶ディスプレイ１に対するガンマ補正テーブルを作成する。同様に、液晶ディスプレイ２の場合には、図４（ｃ）の右側に示すように、ＬＥＤ輝度補正後のＬＣＤ特性を、最も輝度の低い色（図示の例では、青（Ｂ））のＬＣＤ特性を基準に目標のガンマカーブに補正することで、目標のカラーバランスが保持された、液晶ディスプレイ２に対するガンマ補正テーブルを作成する。
【００４８】
このように、目標のカラーバランスと比較して最も輝度の低い色に合わせてＬＥＤ電流を低減することによってバックライト８、１３の白色ＬＥＤの輝度を補正し、該ＬＥＤ輝度補正後のＬＣＤ特性を、最も輝度の低い色のＬＣＤ特性を基準に目標のガンマカーブに補正することで、液晶ディスプレイ１、２間の輝度、カラーバランスを揃えることができる。
【００４９】
そして、ステップＳ２８で作成した各ガンマ補正テーブルをそれぞれのメモリ１０、１５に保存する（ステップＳ３２）。なお、目標のカラーバランス、ガンマカーブは、バックライト８、１３の輝度の所定の分解能（例えば、５段階）毎に、補正は、２つの液晶ディスプレイ１、２で別々に行う。上述した一連の補正処理により、最終的にバックライト輝度−ＬＥＤ電流テーブルとガンマ補正テーブルとが更新されることになる。補正が終了すると、処理部１２、及びディスプレイ制御部９、１４は、低消費電力モードに移行する（ステップＳ３４）。つまり、液晶ディスプレイ１、２を消灯する。
【００５０】
また、ヒンジ３が０°の「閉じた」状態、すなわち折り畳まれた状態が続いている場合には（ステップＳ１４でＹＥＳの場合）、ステップＳ３４に進み、液晶ディスプレイ１、２を消灯する低消費電力モードへ移行する。
【００５１】
次に、スタイル検出部１１が、ヒンジ３が０°以外の「開いた」状態、すなわち筐体が展開された状態を再び検出すると（ステップＳ１４のＮＯ）、ディスプレイ制御部９、１４は、各々、上述したステップＳ１６〜Ｓ２０で、メモリ１０、１５に格納されている更新されたバックライト輝度−ＬＥＤ電流テーブルの内容に従って、バックライト８にＬＥＤ電流を供給して点灯し、ガンマ補正テーブルの内容に従ってガンマ補正を行うので、上記補正が反映される。
【００５２】
なお、筐体が展開された状態でも、操作されない場合などが所定時間以上継続すると、自動的にステップＳ３４の低消費電力モードへ移行するようにしてもよい。そして、低消費電力モードで、何らから操作が行われると、上述したステップＳ１６〜Ｓ２０へ進むことになる。
【００５３】
上述した第１実施形態によれば、使用者に補正用画像を見せることなく、常時、気づかれることなく、液晶ディスプレイ１、２間の輝度、カラーバランスを揃えることができる。これにより、液晶ディスプレイ１、２に跨って１つの連続した表示データを表示する場合にも、輝度、カラーバランスが連続するように表示することができる。さらに、バックライト８、１３の白色ＬＥＤだけでなく、パネル透過率、カラーフィルタ等の特性も合わせて補正するため、異なる方式のディスプレイであっても補正することができる。
【００５４】
なお、上述した第１実施形態では、バックライト８、１３のＬＥＤ電流を最大にしてバックライト出力輝度を最大にし、赤・緑・青の最大輝度をカラーフォトセンサ６、７で測定し、測定結果において、目標のカラーバランスと比較して最も輝度の低い色に合わせてＬＥＤ電流を低減することで液晶ディスプレイ１、２の最大輝度を補正したが、これ以外に、カラーフォトセンサ６により測定された液晶ディスプレイ２の輝度と、カラーフォトセンサ７により測定された液晶ディスプレイ１の輝度とを比較し、低輝度側の液晶ディスプレイの輝度に高輝度側の液晶ディスプレイの輝度が合致するように、高輝度側の液晶ディスプレイに対応するバックライトへのＬＥＤ電流を低減することで、液晶ディスプレイ１、２の最大輝度を補正してもよい。
【００５５】
Ｂ．第２実施形態
次に、本発明の第２実施形態について説明する。なお、ディスプレイ装置の構成、構造は、第１実施形態と同じであるので説明を省略する。本第２実施形態では、２つの液晶ディスプレイ１、２を備えるディスプレイ装置において、筐体や、部品配置を左右上下で対称にし、液晶ディスプレイ１、２のどちらを使用しても操作感が変わらないようにする。また、液晶ディスプレイ１、２の表示データを入り替えて逆さにすることもでき、筐体を逆さにして使用しても操作感が変わらないようになっている。
【００５６】
前述した第１実施形態と同様に、筐体が折り畳まれたときに、２つの液晶ディスプレイ１、２の最大バックライト輝度を測定し、どちらのバックライトの劣化が少ないかを判定する。筐体が折り畳まれているなどの低消費電力モードから、展開されたなどの起動要因が発生したとき、起動時の表示データは、バックライトの劣化が少ない側の液晶ディスプレイだけを使用して表示し、他方を消灯することで、２つのバックライト８、１３の劣化のバラツキを抑えることができる。
【００５７】
Ｂ−１．第２実施形態の動作
次に、上述した第２実施形態の動作について説明する。
図５は、本第２実施形態によるディスプレイ装置の動作を説明するためのフローチャートである。まず、スタイル検出部１１は、ヒンジ３の状態（角度）からディスプレイ装置のスタイルを検出し（ステップＳ４０）、処理部１２は、スタイル検出部１１による検出結果に基づいて、ヒンジ３が０°以外の「開いた」状態から０°の「閉じた」状態になったか否か、すなわち、筐体が折り畳まれたか否かを判断する（ステップＳ４２）。
【００５８】
そして、ヒンジ３が０°以外の「開いた」状態から０°の「閉じた」状態になった場合、すなわち、筐体が折り畳まれた場合には（ステップＳ４２でＹＥＳ）、前述した第１実施形態のステップＳ２２〜Ｓ３４と同様に、ステップＳ５２〜Ｓ６６を実行する。すなわち、ディスプレイ制御部９、１４によるガンマ補正を停止し、処理部１２は、各バックライト８、１３のＬＥＤ電流を最大にしてバックライト出力輝度を最大にし（ステップＳ５２）、それぞれの液晶ディスプレイ１、２における赤・緑・青の最大輝度をカラーフォトセンサ６、７で測定する（ステップＳ５４）。
【００５９】
そして、測定結果のうち、目標のカラーバランスと比較して最も輝度の低い色（最も目標値に近い）が目標のカラーバランスの対応する色に合致するように、各バックライト８、１３のＬＥＤ電流を低減することで液晶ディスプレイ１、２の最大輝度を補正する（ステップＳ５６）。
【００６０】
なお、目標のカラーバランスにおける各色の最大輝度は、上述した第１実施形態と同様に、カラーフォトセンサ６、７で測定した液晶ディスプレイ１、２の各色の輝度より、常時、低くなければならないため、使用時間の経過に応じて徐々に低くなるように変更することが好ましい。
【００６１】
そして、ディスプレイ制御部９、１４は、ステップＳ５６で補正したそれぞれのＬＥＤ電流を、バックライト輝度−電流テーブルとして、それぞれのメモリ１０、１５に保存する（ステップＳ５８）。
【００６２】
バックライト８、１３のＬＥＤ電流を調整しただけでは、液晶ディスプレイ１、２のカラーバランスは補正できないので、次に、調整用画像として赤・緑・青をそれぞれの最大〜中間〜最小（２５５〜０）と変化させながらカラーフォトセンサ６、７で輝度を測定し、目標のガンマカーブに合うように（カラーバランスを保持しながら）、ガンマ補正テーブルを作成する（ステップＳ６０）。調整用画像は、処理部１２で扱っている色空間に従うが、典型的な例として、ＲＧＢ２４ビット色空間の場合、赤（Ｒ，０，０）、緑（０，Ｇ，０）、青（０，０，Ｂ）となる。
【００６３】
そして、ステップＳ６０で作成した各ガンマ補正テーブルをそれぞれのメモリ１０、１５に保存する（ステップＳ６２）。なお、目標のカラーバランス、ガンマカーブは、バックライト８、１３の輝度の所定の分解能（例えば、５段階）毎に、補正は、２つの液晶ディスプレイ１、２で別々に行う。上述した一連の補正処理により、最終的にバックライト輝度−ＬＥＤ電流テーブルとガンマ補正テーブルとが更新されることになる。
【００６４】
さらに、本第２実施形態では、上記バックライト８、１３のＬＥＤ電流を調整する際に、ＬＥＤ電流をより低減した方の液晶ディスプレイを表示ディスプレイに設定する（ステップＳ６４）。以下、液晶ディスプレイ１が表示ディスプレイに設定されたものとして説明する。そして、補正が終了すると、処理部１２、及びディスプレイ制御部９、１４は、液晶ディスプレイ１、２を消灯し、低消費電力モードに移行する（ステップＳ６６）。
【００６５】
一方、筐体が折り畳まれていない場合には（ステップＳ４２のＮＯ）、スタイル検出部１１による検出結果に基づいて、ヒンジ３が０°の「閉じた」状態であるか否か、すなわち折り畳まれた状態であるか否かを判断する（ステップＳ４４）。そして、ヒンジ３が０°の「閉じた」状態、すなわち折り畳まれた状態が続いている場合には（ステップＳ４４でＹＥＳ）、ステップＳ６６に進み、液晶ディスプレイ１、２を消灯する低消費電力モードへ移行する。
【００６６】
一方、スタイル検出部１１が、ヒンジ３が０°以外の「開いた」状態、すなわち筐体が展開された状態を検出すると（ステップＳ４４のＮＯ）、表示ディスプレイに設定された液晶ディスプレイ１に対応するディスプレイ制御部９が、メモリ１０に格納されているバックライト輝度−ＬＥＤ電流テーブルの内容に従って、対応するバックライト８にＬＥＤ電流を供給して点灯する（ステップＳ４６）。
【００６７】
次に、表示ディスプレイに対応するディスプレイ制御部９は、メモリ１０に格納されているガンマ補正テーブルの内容に従ってガンマ補正を行い（ステップＳ４８）、表示データを表示ディスプレイに設定された液晶ディスプレイ１に表示する（ステップＳ５０）。
【００６８】
ディスプレイ装置は、「閉じている」ときや、「開いている」ときも、長時間使用されなかったときは、低消費電力モードになっており、２つの液晶ディスプレイ１、２を消灯している。そして、スタイル検出部１１が「開いた」ことを検出すると、低消費電力モードから起動して液晶ディスプレイにメニューなどの起動時の表示データを表示する。このとき、起動時の表示データは、バックライトの劣化が少ないと判定された側の液晶ディスプレイだけに表示され、他方の液晶ディスプレイは消灯のままとしておく。なお、以降の操作などで、使用ディスプレイに設定された液晶ディスプレイに表示する表示データを変更することもあるが、明示的に他方の液晶ディスプレイへの表示変更が要求されない限り、起動時に表示データを表示した、使用ディスプレイに設定された液晶ディスプレイの方だけに表示データを表示する。
【００６９】
上述した第２実施形態によれば、バックライトの劣化が少ない方の液晶ディスプレイを優先的に使用し、劣化が大きい方のバックライト、液晶ディスプレイを使用しないため、２つの液晶ディスプレイ１、２のバックライト８、１３の劣化のバラツキを抑えることができる。また、バックライト（の白色ＬＥＤ）の劣化が少ないと判定された一方の液晶ディスプレイだけを優先的に使用することで、表示データの向きに応じて筐体の向きを変える必要があった場合としても、筐体や、ディスプレイ等の部品配置を対称にしているため、使用者の操作感が変わらない。また、明示的に他方の液晶ディスプレイへの表示変更が要求された際に、表示する液晶ディスプレイを変更する場合でも、２つの液晶ディスプレイ１、２間で輝度、カラーバランスを揃えているので、使用者に不快感を与えることがない。
【００７０】
なお、上述した第１、第２実施形態においては、カラーフォトセンサ６、７により対向する液晶ディスプレイ１、２の輝度を測定するために、液晶ディスプレイ１、２をそれぞれの筐体に対して横方向にずらして配設したが、これに限らず、以下に説明するような構成であってもよい。
【００７１】
図６（ａ）〜（ｄ）は、本発明のディスプレイ装置の他の構成例を示す模式図である。ディスプレイ装置は、２つの液晶ディスプレイ１、２を備え、液晶ディスプレイ１、２は、ヒンジ３を介した第１の筐体４との第２の筐体５とにそれぞれ配置されている。ヒンジ３は、３６０°回転できるようになっている。また、一方の筐体（図示の例では、第２の筐体５）は、ヒンジ３に沿って矢印方向にスライドさせることが可能となっている。
【００７２】
図６（ａ）に示すように、液晶ディスプレイ１、２が内側になるように、ヒンジ３を０°に「閉じた」、折り畳んだ状態で、第２の筐体５を矢印方向にスライドさせた状態が非使用時である。使用時には、図６（ｂ）に示すように、折り畳んだ状態から、ヒンジ３を１８０°に「開いた」状態にして、図６（ｃ）に示すように、第２の筐体５を矢印方向にスライドさせて、両方の液晶ディスプレイ１、２を同時に使用したり、前述した図１（ｃ）に示したように、液晶ディスプレイ１が外側になるように、ヒンジ３を３６０°にさらに展開した状態として、一方の液晶ディスプレイ１だけを使用したりする。
【００７３】
この場合、図６（ｂ）〜（ｃ）に示すように、カラーフォトセンサ６、７は、液晶ディスプレイ１、２の上下に配設されている。図６（ａ）に示すように、ヒンジ３を０°に「閉じた」、折り畳んだ状態で、かつ第２の筐体５をスライドさせた状態、すなわち非使用時には、図６（ｄ）に示すように、液晶ディスプレイ１と液晶ディスプレイ２とは、縦方向にずれた状態で対向する。第１の筐体４側のカラーフォトセンサ６は、液晶ディスプレイ２のずれた部分に対向し、第２の筐体５側のカラーフォトセンサ７は、液晶ディスプレイ１のずれた部分に対向するようになっている。このような構造にすることで、使用時には、液晶ディスプレイ１と液晶ディスプレイ２とが、それぞれの筐体４、５のほぼ中心に位置するので、使用者に画面がずれていることによる不快感を与えることがない。
【００７４】
なお、上述した第１、第２実施形態では、筐体を折り畳んだときに、液晶ディスプレイ１、２の輝度や、カラーバランスを補正するようにしたが、折り畳む度に補正するのではなく、例えば、折り畳み回数が所定の回数に達した場合や、前回の補正処理から所定の時間経過した時点で折り畳まれた場合、あるいは、起動時間を計時し、該起動時間が所定の時間に達した直後に折り畳まれた場合などに、液晶ディスプレイ１、２の輝度や、カラーバランスを補正するようにしてもよい。また、バックライト８、１３や、液晶ディスプレイ１、２が故障等で交換された直後の折り畳み時には、無条件で液晶ディスプレイ１、２の輝度や、カラーバランスを補正するようにしてもよい。
【符号の説明】
【００７５】
１、２  液晶ディスプレイ
３  ヒンジ
４  第１の筐体
５  第２の筐体
６、７  カラーフォトセンサ
８、１３  バックライト
９、１４  ディスプレイ制御部
１０、１５  メモリ
１１  スタイル検出部
１２  処理部
【図１】
2011242587.tif 000003
【図２】
2011242587.tif 000004
【図３】
2011242587.tif 000005
【図４】
2011242587.tif 000006
【図５】
2011242587.tif 000007
【図６】
2011242587.tif 000008